(57)【要約】【課題】本発明は、回転フレームの円周に錘を設け、縦方向に回転させることにより、物体落下エネルギーと遠心力との相互作用によって発電を行う物体落下エネルギーと遠心力を利用した発電装置および物体落下エネルギーと遠心力を利用した発電方法を提供することを目的とするものである。【解決手段】本発明は、その周縁に錘部１３が取り付けられる回転フレーム４と、この回転フレーム４を鉛直方向に回転させる回転軸６と、この回転軸６の一端側に配置される駆動回転手段とされる電動モーター８と、回転軸６の他端側に配置される発電手段とされる発電機１１とから構成される。【選択図】図１
2010265782.tif 000002
【特許請求の範囲】
【請求項１】
その周縁に錘部が取り付けられる回転フレームと、
前記回転フレームが自転可能に取り付けられた回転軸と、
前記回転軸の一端側に配置される駆動回転手段と、
前記回転軸の他端側に配置される発電手段とから構成される
物体落下エネルギーと遠心力を利用した発電装置。
【請求項２】
前記回転軸に回転フレームを複数取り付けられた
請求項１記載の物体落下エネルギーと遠心力を利用した発電装置。
【請求項３】
前記発電手段により発電された電力により前記回転軸を駆動回転させる
請求項１または請求項２に記載の物体落下エネルギーと遠心力を利用した発電装置。
【請求項４】
駆動回転手段により、その円周に錘が取り付けられた回転フレームを駆動回転させる工程と、
前記回転フレームを自転可能に回転させることで、物体落下エネルギーと遠心力の相互作用によって前記駆動回転手段による駆動力以上の回転力を生じさせる工程と、
前記回転力により発電を行う工程とを備える
物体落下エネルギーと遠心力を利用した発電方法。
【請求項５】
前記発電により生じた電力によって回転フレームを駆動回転させる
請求項４に記載の物体落下エネルギーと遠心力を利用した発電方法。
【発明の詳細な説明】
【技術分野】
【０００１】
本発明は、物体落下エネルギーと遠心力を利用した発電装置および物体落下エネルギーと遠心力を利用した発電方法に関する。詳しくは物体エネルギーと遠心力の相互作用によって生ずるトルクを発電エネルギーに変換する物体落下エネルギーと遠心力を利用した発電装置および物体落下エネルギーと遠心力を利用した発電方法に係るものである。
【背景技術】
【０００２】
回転フレームの回転軸を回転させると、回転軸に直交して水平方向にトルクが生じることは知られている。ここでは、回転フレームを垂直に設置して、回転フレームの先端部に１個または複数個の錘を取り付けることで、物体落下エネルギーを加え回転させることにより、物体落下エネルギーと遠心力の相互作用で、より強力な回転力を生み出し、莫大なエネルギーを得るものである。このとき錘として使用するものは比重が重い金属が望ましく、回転フレームは錘の質量と遠心力に耐え得る強度があれば、細くて軽量な材質とシンプルな構造が望ましい。例えば、遠心力を利用したスポーツにハンマー投げがあるが、細いワイヤーに鉄球が繋がっているからこそ遠心力が有効に働き、８０メートル以上の飛距離が出せるのである。つまり、回転フレームは軽量の方が物体落下エネルギーと遠心力は増大するということである。
【０００３】
更に、物体落下エネルギーを大きくする方法として、例えば重さ１ｋｇの鉄球を１メートル上から落下させるのと、１０メートル上から落下させるのとでは、当然１０メートル上から落下させる方が落下到達時の衝撃が大きい。また、重さ１ｋｇの鉄球と１０ｋｇの鉄球を１メートル上から落下させると、１０ｋｇの鉄球の方が落下到達時の衝撃が大きい。このように、物体落下エネルギーは物体の質量と落下距離に大きく関係する。
【０００４】
一方、物体は静止していると運動エネルギーはゼロであるが、落下を始めると運動エネルギーに変換される。静止してしまえば位置エネルギーに変わり運動エネルギーはゼロになってしまうので、運動エネルギーを永続させる方法として、物体そのものを回転させ続ければよい。また、一旦回転し始めた回転フレームは自力回転が加わり、ある一定の回転数になるとごく微量なエネルギーで回転が維持される。例えば、２４時間循環器風呂の設定温度を４０℃にした場合、水温から４０℃まで上がるのには相当のエネルギーが必要となるが、４０℃を保つにはごく微量のエネルギーで済むのと同じことである。
【先行技術文献】
【特許文献】
【０００５】
【特許文献１】特開２００７−８２３８６号公報
【発明の概要】
【発明が解決しようとする課題】
【０００６】
現在、電力は原子力発電、火力発電、水力発電、地熱発電、風力発電、太陽光発電等々、様々な発電システムが開発されてきたが、多くの問題を抱え、新エネルギーの開発が必要となっているのが現実である。石油・石炭・天然ガスなどの火力発電は、地球温暖化の原因となる二酸化炭素を排出し、限りある化石エネルギーを利用しているので将来必ず枯渇してしまうという問題がある。
【０００７】
また、水力発電は、雨や雪の量に左右され、発電量が定まらないし建設費が高い。原子力発電は安全性や核燃料廃棄物処理の問題がある。クリーンエネルギーとして話題になっている太陽光発電や風力発電は、自然条件に大きく左右されるため、安定供給が難しい。更に、風力発電においては設置場所が限られるし、景観が損なわれ騒音が発生するという問題が生じてくる。
【０００８】
本発明は以上の点に鑑みて創案されたものであって、回転フレームの円周に錘を設け、縦方向に回転させることにより、物体落下エネルギーと遠心力との相互作用によって発電を行う物体落下エネルギーと遠心力を利用した発電装置および物体落下エネルギーと遠心力を利用した発電方法を提供することを目的とするものである。
【課題を解決するための手段】
【０００９】
本発明に係る物体落下エネルギーと遠心力を利用した発電装置は、その周縁に錘部が取り付けられる回転フレームと、回転フレームを自転可能に取り付けられた回転軸と、回転軸の一端側に配置される駆動回転手段と、回転軸の他端側に配置される発電手段とから構成される。
【００１０】
ここで、回転フレームの周縁に沿って錘部を設け、電動モーターなどによる駆動回転手段により回転フレームを鉛直方向に回転させることによって、錘部の物体落下エネルギーと回転フレームの回転による遠心力との相互作用によって生じるトルクによって発電機のタービンを回して発電することが可能となる。
【００１１】
また、回転軸に回転フレームを複数取り付けることにより、錘部の物体落下エネルギーと回転フレームの回転による遠心力との相互作用によって生じるトルクが増大することによって、大型の発電機のタービンを回して発電することが可能となる。
【００１２】
また、発電手段により発電された電力により回転軸を駆動回転させることにより、外部エネルギーを得ることなく永続的に発電を行うことが可能となる。
【００１３】
また、本発明に係る物体落下エネルギーと遠心力を利用した発電方法は、駆動回転手段により、その円周に錘が取り付けられた回転フレームを駆動回転させる工程と、回転フレームを自転可能に回転させることで、物体落下エネルギーと遠心力の相互作用によって駆動回転手段による駆動力以上の回転力を生じさせる工程と、回転力により発電を行う工程とを備える。
【００１４】
ここで、その周縁に１個または複数個の錘が取り付けられた回転フレームを鉛直方向に駆動回転させることで、物体落下エネルギーと遠心力との相互作用によって、より強力な回転力を得ることができ、この回転力によって発電機のタービンを回して発電することが可能となる。
【００１５】
また、発電により生じた電力によって回転フレームを駆動回転させることで、外部エネルギーを得ることなく永続的に発電を行うことができる。
【発明の効果】
【００１６】
本発明によれば、以下の効果を奏することができる。
イ．安全なエネルギーの供給
ウラン燃料など人体・環境に危険性のある燃料を一切使用しないので安全なエネルギーが供給できる。
ロ．安定したエネルギーの供給
本発明を適用した発電装置は、自然条件に左右されないうえ、設置場所により１台または複数台を連結して設置でき、更に回転フレームの直径および錘の質量を調整することで少量でも大量でも目的の電力が得られるため安定したエネルギーが供給できる。
ハ．クリーンなエネルギーの供給
二酸化炭素を排出する化石燃料を一切使用しないので地球環境に優しいクリーンなエネルギーが供給できる。
ニ．燃料の要らない安価なエネルギーの供給
本発明による発電方法によれば、発電システム稼働の始動時のみ外部エネルギーを必要とするだけで化石燃料、核燃料等を一切使用せず、燃料コストがかからないので安価なエネルギーが供給できる。
【００１７】
また、小規模にも大規模にも実用化でき、都市部はいうまでもなく、送電線設備の困難な山間部、森林部など、どんな場所においても発電設備を設置することができ、地球規模で利用できる発電方法である。
【産業上の利用可能性】
【００１８】
電力業界においては、燃料費が不要になり、莫大な設備投資をしなくても電力を生産できる。自然条件に左右されず、必要な電気容量が安定して確保できる。二酸化炭素や核廃棄物等の地球環境悪化の原因となる要素が排除され、騒音もなく安全性が確保されるので、地域住民の反対もなくどんな場所でも発電設備を設置することができる。
また、大規模な送電線は不要になり、災害・事故等により送電がストップされるという事態は起こらなくなる。輸送業界においては、自動車、鉄道、船舶等に設置し動力源として利用すれば、燃料費が不要となり二酸化炭素も出なくなる。特に鉄道においては、架線が不要になるため設備費の低減に繋がる。
地球の環境においても理想的なエネルギーを供給できるものである。
【図面の簡単な説明】
【００１９】
【図１】本発明の実施例１における物体落下エネルギーと遠心力を利用した発電装置の正面図である。
【図２】本発明の実施例１における物体落下エネルギーと遠心力を利用した発電装置の側面図である。
【図３】本発明の実施例２における物体落下エネルギーと遠心力を利用した発電装置の正面図である。
【図４】本発明の実施例２における物体落下エネルギーと遠心力を利用した発電装置の側面図である。
【図５】本発明の実施例３における物体落下エネルギーと遠心力を利用した発電装置の側面図である。
【図６】本発明の実施例４における物体落下エネルギーと遠心力を利用した発電装置の正面図である。
【図７】本発明の実施例４における物体落下エネルギーと遠心力を利用した発電装置の側面図である。
【図８】本発明の実施例５における物体落下エネルギーと遠心力を利用した発電装置の正面図である。
【図９】本発明の実施例５における物体落下エネルギーと遠心力を利用した発電装置の側面図である。
【図１０】本発明の実施例６における物体落下エネルギーと遠心力を利用した発電装置の正面図である。
【図１１】本発明の実施例６における物体落下エネルギーと遠心力を利用した発電装置の側面図である。
【図１２】本発明の実施例７における物体落下エネルギーと遠心力を利用した発電装置の正面図である。
【図１３】本発明の実施例７における物体落下エネルギーと遠心力を利用した発電装置の側面図である。
【図１４】本発明の実施例８における物体落下エネルギーと遠心力を利用した発電装置の正面図である。
【図１５】本発明の実施例８における物体落下エネルギーと遠心力を利用した発電装置の側面図である。
【発明を実施するための形態】
【００２０】
以下、本発明の実施の形態を図面を参酌しながら説明し、本発明の理解に供する。
実施例１
図１は、本発明を適用した物体落下エネルギーと遠心力を利用した発電装置の正面図、図２は、本発明を適用した物体落下エネルギーと遠心力を利用した発電装置の側面図である。
【００２１】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４とを有する構成とされている。
【００２２】
ここで、回転フレーム設置台２は、回転フレーム４を挟装することができる間隔を持って立設され、この回転フレーム設置台２の上部には回転フレーム軸受部３が貫設されている。この回転フレーム軸受部３にはベアリング５が外嵌され、回転フレーム４に固定された回転軸６が嵌挿されている。
【００２３】
また、回転軸６は回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【００２４】
次に、他方の回転軸６にはＶ型プーリー７Ａが取り付けられ、その下方の回転フレーム設置台２下端に発電機１１が配置され、この発電機１１にＶ型プーリー７Ｂが取り付けられ、更にＶ型プーリー７ＡとＶ型プーリー７ＢとがＶベルト１０によって連動された構成とされている。
【００２５】
また、電動モーター８と発電機１１は切り替えスイッチ１４を介した状態で接続され、この切り替えスイッチ１４に入力電源端子１５および発電機１１には出力電源端子１６が接続されている。
【００２６】
ここで、回転フレーム４は、その中心より放射状に支持アーム１７が設けられ、これらの支持アーム１７の先端間に一定幅を有する環状体１２が取り付けられ、更に環状体１２の円周面に沿って一定間隔ごとに山型形状に形成された錘部１３が取り付けられた構成とされている。
【００２７】
以上の構成よりなる本発明の物体落下エネルギーと遠心力を利用した発電装置では、入力電源端子１５からの外部電力により電動モーター８を起動させてＶ型プーリー７Ｂを駆動回転させてＶベルト１０に連動されるＶ型プーリー７Ａに取り付けられた回転軸６を駆動回転させることにより回転フレーム４を回転させる。
【００２８】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【００２９】
次に、回転フレーム４の初期回転時のみ電動モーター８による起動が必要となるが、回転フレーム４の円周に沿って取り付けられる錘部１３による物体落下エネルギーと遠心力との相互作用によって電動モーター８の駆動力以上の回転トルクが回転軸６に生じることとなる。
【００３０】
これにより一旦回転し始めた回転フレーム４は、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００３１】
実施例２
図３は、本発明を適用した物体落下エネルギーと遠心力を利用した発電装置の正面図、図４は、本発明を適用した物体落下エネルギーと遠心力を利用した発電装置の側面図である。
【００３２】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４とを有する構成とされている。
【００３３】
ここで、回転フレーム設置台２は、回転フレーム４を挟装することができる間隔を持って立設され、この回転フレーム設置台２の上部には回転フレーム軸受部３が貫設されている。この回転フレーム軸受部３にはベアリング５が外嵌され、回転フレーム４に固定された回転軸６が嵌挿されている。
【００３４】
また、回転軸６は回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【００３５】
更に、他方の回転軸６にはＶ型プーリー７Ａが取り付けられると共に、その下方の回転フレーム設置台２下端には発電機１１が配置され、この発電機１１に取り付けられるＶ型プーリー７ＢとがＶベルト１０によって連動された構成とされている。
【００３６】
また、電動モーター８と発電機１１は切り替えスイッチ１４を介した状態で接続され、この切り替えスイッチ１４に入力電源端子１５および発電機１１には出力電源端子１６が接続されている。
【００３７】
ここで、回転フレーム４は、その中心より放射状に４個の支持アーム１７が設けられ、これらの支持アーム１７の先端間に円弧形状の錘部１３がそれぞれ取り付けられた構成とされている。
【００３８】
以上の構成よりなる本発明の物体落下エネルギーと遠心力を利用した発電装置では、入力電源端子１５からの外部電力により電動モーター８を起動させてＶ型プーリー７Ｂを駆動回転させてＶベルト１０に連動されるＶ型プーリー７Ａに取り付けられた回転軸６を駆動回転させることにより回転フレーム４を回転させる。
【００３９】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【００４０】
次に、回転フレーム４の初期回転時のみ電動モーター８による起動が必要となるが、回転フレーム４に取り付けられる錘部１３による物体落下エネルギーと遠心力との相互作用によって電動モーター８の駆動力以上の回転トルクが回転軸６に生じることとなる。
【００４１】
これにより一旦回転し始めた回転フレーム４は、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００４２】
実施例３
図５は、本発明を適用した物体落下エネルギーと遠心力を利用した発電装置の側面図である。
【００４３】
ここで示す発電装置１は、回転フレーム設置台２と、この回転フレーム設置台２の回転フレーム軸受部３に回転自在な状態で取り付けられる回転軸６と、この回転軸６に取り付けられる５個の回転フレーム４とを有する構成とされている。
【００４４】
ここで、回転フレーム設置台２は、５個並列状に配置される回転フレーム４を挟装することができる間隔を持って立設され、この回転フレーム設置台２の上部には回転フレーム軸受部３が貫設されている。この回転フレーム軸受部３にはベアリング５が外嵌され、それぞれの回転フレーム４に固定された回転軸６が嵌挿されている。
【００４５】
また、回転軸６は回転フレーム軸受部３を突出した状態で、その左右方向へ延設され、その両側端の回転軸６にはＶ型プーリー７Ａが取り付けられ、その下方の回転フレーム設置台２下端に電動モーター８がそれぞれ配置され、この電動モーター８にＶ型プーリー７Ｂが取り付けられ、更にＶ型プーリー７ＡとＶ型プーリー７ＢとがＶベルト１０によって連動された構成とされている。
【００４６】
更に、それぞれの回転フレーム４間の回転軸６にＶ型プーリー７Ａがそれぞれ取り付けられると共に、発電機１１もそれぞれ配置され、この発電機１１に取り付けられるＶ型プーリー７ＢとがＶベルト１０によって連動された構成とされている。
【００４７】
また、電動モーター８と発電機１１は切り替えスイッチ１４を介した状態で接続され、この切り替えスイッチ１４に入力電源端子１５および発電機１１には出力電源端子１６が接続されている。
【００４８】
ここで、５個の回転フレーム４は、図１において示すように、その中心より放射状に支持アーム１７が設けられ、これらの支持アーム１７の先端間に一定幅を有する環状体１２が取り付けられ、更に環状体１２の円周面に沿って一定間隔ごとに山型形状に形成された錘部１３が取り付けられた構成とされている。
【００４９】
以上の構成よりなる本発明の物体落下エネルギーと遠心力を利用した発電装置では、入力電源端子１５からの外部電力により回転軸６の下方に配置されるそれぞれの電動モーター８を起動させてＶ型プーリー７Ｂを駆動回転させてＶベルト１０に連動されるＶ型プーリー７Ａに取り付けられた回転軸６を駆動回転させることにより５個の回転フレーム４を回転させる。
【００５０】
ここで、それぞれに配置された発電機１１側の５個のＶ型プーリー７Ａが同時に駆動回転し、Ｖベルト１０を介して、その下方のＶ型プーリー７Ｂが駆動回転することによりそれぞれの発電機１１が起動して発電が行われる。
【００５１】
この場合、５個の回転フレーム４の初期回転時のみ電動モーター８による起動が必要となるが、それぞれの回転フレーム４の円周に沿って取り付けられる錘部１３による物体落下エネルギーと遠心力との相互作用によって電動モーター８の駆動力以上の回転トルクが回転軸６に生じることとなる。
【００５２】
これにより一旦回転し始めた５個の回転フレーム４は、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００５３】
実施例４
図６は、本発明を適用した物体落下エネルギーと遠心力を利用した発電装置の正面図、図７は、本発明を適用した物体落下エネルギーと遠心力を利用した発電装置の側面図である。
【００５４】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４、４Ａ、４Ｂとを有する構成とされている。
【００５５】
ここで、回転フレーム設置台２は、３個並列状に配置される回転フレーム４、４Ａ、４Ｂを挟装することができる間隔を持って立設され、この回転フレーム設置台２の上部には回転フレーム軸受部３が貫設されている。この回転フレーム軸受部３にはベアリング５が外嵌され、回転フレーム４、４Ａ、４Ｂに固定された回転軸６が嵌挿されている。
【００５６】
また、回転軸６は回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【００５７】
更に、他方の回転軸６にはＶ型プーリー７Ａが取り付けられると共に、その下方の回転フレーム設置台２下端には発電機１１が配置され、この発電機１１に取り付けられるＶ型プーリー７ＢとがＶベルト１０によって連動された構成とされている。
【００５８】
また、電動モーター８と発電機１１は切り替えスイッチ１４を介した状態で接続され、この切り替えスイッチ１４に入力電源端子１５および発電機１１には出力電源端子１６が接続されている。
【００５９】
ここで、回転軸６に取り付けられる３個の回転フレーム４、４Ａ、４Ｂのうち、その中央の回転フレーム４は、その中心より放射状に支持アーム１７が設けられ、これらの支持アーム１７の先端間に一定幅を有する環状体１２が取り付けられ、更に環状体１２の円周面に沿って一定間隔ごとに山型形状に形成された錘部１３が取り付けられた構成とされている。
また、回転フレーム４の両側の回転フレーム４Ａ、４Ｂは、その中心より放射状に４個の支持アーム１７が設けられ、これらの支持アーム１７の先端間に円弧形状の錘部１３がそれぞれ取り付けられると共に、回転フレーム４Ａ、４Ｂとが互いに９０度ずらした状態で回転軸６に取り付けられた構成とされている。
【００６０】
以上の構成よりなる本発明の物体落下エネルギーと遠心力を利用した発電装置では、入力電源端子１５からの外部電力により回転軸６の下方に配置される電動モーター８を起動させてＶ型プーリー７Ｂを駆動回転させてＶベルト１０に連動されるＶ型プーリー７Ａに取り付けられた回転軸６を駆動回転させることにより回転フレーム４、４Ａ、４Ｂを回転させる。
【００６１】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【００６２】
この場合に、回転フレーム４、４Ａ、４Ｂの初期回転時のみ電動モーター８による起動が必要となるが、回転フレーム４、４Ａ、４Ｂに取り付けられる錘部１３による物体落下エネルギーと遠心力との相互作用によって電動モーター８の駆動力以上の回転トルクが回転軸６に生じることとなる。
また、回転フレーム４Ａ、４Ｂとが互いに９０度ずらした状態で回転軸６に取り付けられるために、円弧形状の錘部１３が円周上に均一に配置されることとなり、回転フレーム４、４Ａ、４Ｂの回転がスムーズに行うことが可能となる。
【００６３】
これにより一旦回転し始めた回転フレーム４、４Ａ、４Ｂは、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００６４】
実施例５
図８は、本発明を適用した物体落下エネルギーと遠心力を利用した発電装置の正面図、図９は、本発明を適用した物体落下エネルギーと遠心力を利用した発電装置の側面図である。
【００６５】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４、４Ａ、４Ｂとを有する構成とされている。
【００６６】
ここで、回転フレーム設置台２は、３個並列状に配置される回転フレーム４、４Ａ、４Ｂを挟装することができる間隔を持って立設され、この回転フレーム設置台２の上部には回転フレーム軸受部３が貫設されている。この回転フレーム軸受部３にはベアリング５が外嵌され、回転軸６が嵌挿されている。
【００６７】
また、回転軸６は回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【００６８】
更に、他方の回転軸６にはＶ型プーリー７Ａが取り付けられると共に、その下方の回転フレーム設置台２下端には発電機１１が配置され、この発電機１１に取り付けられるＶ型プーリー７ＢとがＶベルト１０によって連動された構成とされている。
【００６９】
また、電動モーター８と発電機１１は切り替えスイッチ１４を介した状態で接続され、この切り替えスイッチ１４に入力電源端子１５および発電機１１には出力電源端子１６が接続されている。
【００７０】
ここで、回転軸６に取り付けられる３個の回転フレーム４、４Ａ，４Ｂは、その中心より放射状に支持アーム１７が設けられ、これらの支持アーム１７の先端間に一定幅を有する環状体１２が取り付けられ、更に環状体１２の円周面に沿って一定間隔ごとに山型形状に形成された錘部１３が取り付けられた構成とされている。
【００７１】
以上の構成よりなる本発明の物体落下エネルギーと遠心力を利用した発電装置では、入力電源端子１５からの外部電力により回転軸６の下方に配置される電動モーター８を起動させてＶ型プーリー７Ｂを駆動回転させてＶベルト１０に連動されるＶ型プーリー７Ａに取り付けられた回転軸６を駆動回転させることにより回転フレーム４、４Ａ、４Ｂを回転させる。
【００７２】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【００７３】
この場合に、回転フレーム４、４Ａ、４Ｂの初期回転時のみ電動モーター８による起動が必要となるが、回転フレーム４、４Ａ、４Ｂの円周に沿って取り付けられる錘部１３による物体落下エネルギーと遠心力との相互作用によって電動モーター８の駆動力以上の回転トルクが回転軸６に生じることとなる。
【００７４】
これにより一旦回転し始めた回転フレーム４、４Ａ、４Ｂは、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００７５】
実施例６
図１０は、本発明を適用した物体落下エネルギーと遠心力を利用した発電装置の正面図、図１１は、本発明を適用した物体落下エネルギーと遠心力を利用した発電装置の側面図である。
【００７６】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４とを有する構成とされている。
【００７７】
ここで、回転フレーム設置台２は、回転フレーム４を挟装することができる間隔を持って立設され、この回転フレーム設置台２の上部には回転フレーム軸受部３が貫設されている。この回転フレーム軸受部３にはベアリング５が外嵌され、回転軸６が嵌挿されている。
【００７８】
また、回転軸６は回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【００７９】
更に、他方の回転軸６にはＶ型プーリー７Ａが取り付けられると共に、その下方の回転フレーム設置台２下端には発電機１１が配置され、この発電機１１に取り付けられるＶ型プーリー７ＢとがＶベルト１０によって連動された構成とされている。
【００８０】
また、電動モーター８と発電機１１は切り替えスイッチ１４を介した状態で接続され、この切り替えスイッチ１４に入力電源端子１５および発電機１１には出力電源端子１６が接続されている。
【００８１】
ここで、回転フレーム４は、幅広状の樽形状に形成され、その円周面に沿って一定間隔に複数の帯状の錘部１３が配列された構成とされている。
【００８２】
以上の構成よりなる本発明の物体落下エネルギーと遠心力を利用した発電装置では、入力電源端子１５からの外部電力により回転軸６の下方に配置される電動モーター８を起動させてＶ型プーリー７Ｂを駆動回転させてＶベルト１０に連動されるＶ型プーリー７Ａに取り付けられた回転軸６を駆動回転させることにより回転フレーム４を回転させる。
【００８３】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【００８４】
この場合に、回転フレーム４の初期回転時のみ電動モーター８による起動が必要となるが、樽形状の回転フレーム４の円周に沿って取り付けられる複数の錘部１３による物体落下エネルギーと遠心力との相互作用によって電動モーター８の駆動力以上の回転トルクが回転軸６に生じることとなる。
【００８５】
これにより一旦回転し始めた回転フレーム４は、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００８６】
実施例７
図１２は、本発明を適用した物体落下エネルギーと遠心力を利用した発電装置の正面図、図１３は、本発明を適用した物体落下エネルギーと遠心力を利用した発電装置の側面図である。
【００８７】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４とを有する構成とされている。
【００８８】
ここで、回転フレーム設置台２は、回転フレーム４を挟装することができる間隔を持って立設され、この回転フレーム設置台２の上部には回転フレーム軸受部３が貫設されている。この回転フレーム軸受部３にはベアリング５が外嵌され、回転軸６が嵌挿されている。
【００８９】
また、回転軸６は、その中央が凹段形状に折り曲げられた段差部９に回転フレーム４が取り付けられている。そして回転軸６の両端は、回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【００９０】
更に、他方の回転軸６にはＶ型プーリー７Ａが取り付けられると共に、その下方の回転フレーム設置台２下端には発電機１１が配置され、この発電機１１に取り付けられるＶ型プーリー７ＢとがＶベルト１０によって連動された構成とされている。
【００９１】
また、電動モーター８と発電機１１は切り替えスイッチ１４を介した状態で接続され、この切り替えスイッチ１４に入力電源端子１５および発電機１１には出力電源端子１６が接続されている。
【００９２】
ここで、回転軸６に取り付けられる回転フレーム４は、その中心より放射状に支持アーム１７が設けられ、これらの支持アーム１７の先端間に一定幅を有する環状体１２が取り付けられ、更に環状体１２の円周面に沿って一定間隔ごとに山型形状に形成された錘部１３が取り付けられた構成とされている。
【００９３】
以上の構成よりなる本発明の物体落下エネルギーと遠心力を利用した発電装置では、入力電源端子１５からの外部電力により回転軸６の下方に配置される電動モーター８を起動させてＶ型プーリー７Ｂを駆動回転させてＶベルト１０に連動されるＶ型プーリー７Ａに取り付けられた回転軸６を駆動回転させることにより回転フレーム４を回転させる。
【００９４】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【００９５】
この場合に、回転フレーム４の初期回転時のみ電動モーター８による起動が必要となるが、回転フレーム４の円周に沿って取り付けられる錘部１３による物体落下エネルギーと遠心力との相互作用によって電動モーター８の駆動力以上の回転トルクが回転軸６に生じることとなる。
また、回転軸６に段差を設けることによって回転フレーム４の物体落下エネルギーが増大して回転軸６に対して大きな回転トルクが生じることとなる。
【００９６】
これにより一旦回転し始めた回転フレーム４は、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【００９７】
実施例８
図１４は、本発明を適用した物体落下エネルギーと遠心力を利用した発電装置の正面図、図１５は、本発明を適用した物体落下エネルギーと遠心力を利用した発電装置の側面図である。
【００９８】
ここで示す発電装置１は、回転フレーム設置台２と、この回転フレーム設置台２の回転フレーム軸受部３に回転自在な状態で取り付けられる回転軸６と、この回転軸６に取り付けられる回転フレーム４、４Ａ、４Ｂとを有する構成とされている。
【００９９】
ここで、回転フレーム設置台２は、３個並列上に配置される回転フレーム４、４Ａ、４Ｂを挟装することができる間隔を持って立設され、この回転フレーム設置台２の上部には回転フレーム軸受部３が貫設されている。この回転フレーム軸受部３にはベアリング５が外嵌され、回転軸６が嵌挿されている。
【０１００】
そこで、回転軸６は、その中央より両側に、互いに１８０度ずらした状態で凸凹段形状に折り曲げられた段差部９が形成されている。そして回転軸６の両端は、回転フレーム軸受部３を突出した状態で、その左右方向へ延設され、その一方の回転軸６にはＶ型プーリー７Ａが取り付けられ、その下方の回転フレーム設置台２下端に電動モーター８が配置され、この電動モーター８にＶ型プーリー７Ｂが取り付けられ、更にＶ型プーリー７ＡとＶ型プーリー７ＢとがＶベルト１０によって連動された構成とされている。
【０１０１】
更に、他方の回転軸６にはＶ型プーリー７Ａが取り付けられると共に、その下方の回転フレーム設置台２下端には発電機１１が配置され、この発電機１１に取り付けられるＶ型プーリー７ＢとがＶベルト１０によって連動された構成とされている。
【０１０２】
また、電動モーター８と発電機１１は切り替えスイッチ１４を介した状態で接続され、この切り替えスイッチ１４に入力電源端子１５および発電機１１には出力電源端子１６が接続されている。
【０１０３】
ここで、回転軸６に取り付けられる３個の回転フレーム４、４Ａ、４Ｂは、その中心より放射状に支持アーム１７が設けられ、これらの支持アーム１７の先端間に一定幅を有する環状体１２が取り付けられ、更に環状体１２の円周面に沿って一定間隔ごとに山型形状に形成された錘部１３が取り付けられた構成とされると共に、回転フレーム４は、回転軸６の中央に取り付けられ、回転フレーム４Ａ、４Ｂは、その両側の段差部９に取り付けられている。
【０１０４】
以上の構成よりなる本発明の物体落下エネルギーと遠心力を利用した発電装置では、入力電源端子１５からの外部電力により回転軸６の下方に配置される電動モーター８を起動させてＶ型プーリー７Ｂを駆動回転させてＶベルト１０に連動されるＶ型プーリー７Ａに取り付けられた回転軸６を駆動回転させることにより回転フレーム４、４Ａ、４Ｂを回転させる。
【０１０５】
ここで、回転軸６の発電機１１側のＶ型プーリー７Ａが同時に駆動回転し、Ｖベルト１０を介して、その下方のＶ型プーリー７Ｂが駆動回転することにより発電機１１が起動して発電が行われる。
【０１０６】
この場合に、電動モーター８の起動による回転フレーム４、４Ａ、４Ｂの初期回転時のみ電動モーター８による起動が必要となるが、回転フレーム４、４Ａ、４Ｂの円周に沿って取り付けられる錘部１３による物体落下エネルギーと遠心力との相互作用によって電動モーター８の駆動力以上の回転トルクが回転軸６に生じることとなる。
また、回転軸６に段差を設けることによって回転フレーム４Ａ、４Ｂの物体落下エネルギーが増大して回転軸６に対して大きな回転トルクが生じることとなる。
【０１０７】
これにより一旦回転し始めた回転フレーム４、４Ａ、４Ｂは、自力回転が加わり、ある一定の回転数になると、ごく微量なエネルギーで回転が維持されることで電動モーター８の消費電力よりも発電機１１による総発電量が大幅に増加することになり、切り替えスイッチ１４により発電機１１から発電された電力の一部を電動モーター８の入力電源端子１５に接続することにより、外部エネルギーを得ることなく永続的な発電を行うことが可能となる。
【符号の説明】
【０１０８】
１      発電装置
２      回転フレーム設置台
３      フレーム軸受部
４、４Ａ、４Ｂ  回転フレーム
５      ベアリング
６      回転軸
７Ａ、７Ｂ  Ｖ型プーリー
８      電動モーター
９      段差部
１０    Ｖベルト
１１    発電機
１２    環状体
１３    錘部
１４    切り替えスイッチ
１５    入力電源端子
１６    出力電源端子
１７    支持アーム
【図１】
2010265782.tif 000003
【図２】
2010265782.tif 000004
【図３】
2010265782.tif 000005
【図４】
2010265782.tif 000006
【図５】
2010265782.tif 000007
【図６】
2010265782.tif 000008
【図７】
2010265782.tif 000009
【図８】
2010265782.tif 000010
【図９】
2010265782.tif 000011
【図１０】
2010265782.tif 000012
【図１１】
2010265782.tif 000013
【図１２】
2010265782.tif 000014
【図１３】
2010265782.tif 000015
【図１４】
2010265782.tif 000016
【図１５】
2010265782.tif 000017